(57)【特許請求の範囲】
【請求項１】
ヘッド本体のフェース面にフェースインサートを装着したパターヘッドにおいて、
該フェースインサートに、上端部から下方に切り込まれたスリットが設けられており、
該スリットよりもフェース面側の前面部と該スリットよりも後面側の後面部とが該フェースインサートのトウ側及びヒール側において連なっており、
前記スリットはフェースインサートのトウ・ヒール方向の中央部において最も深くなっており、該中央部からトウ側及びヒール側に向って連続的に又は段階的に浅くなっており、
該スリットのトウ・ヒール方向の長さは、該フェースインサートのトウ・ヒール方向の長さの８０〜９８％であることを特徴とするパターヘッド。
【請求項２】
請求項１において、該スリットに粘弾性材が充填されていることを特徴とするパターヘッド。
【請求項３】
請求項１又は２において、前記スリットよりも前面側のフェースインサート前面部の厚みは、前記スリットよりも後面側のフェースインサート後面部の厚みよりも小さいことを特徴とするパターヘッド。
【請求項４】
請求項１ないし３のいずれか１項において、前記スリットの底面は、トウ側からヒール側にかけて半楕円形の弧状であることを特徴とするパターヘッド。
【請求項５】
請求項１ないし３のいずれか１項において、前記スリットの底面は、トウ・ヒール方向の中央付近からトウ側及びヒール側にかけて段階的に浅くなることを特徴とするパターヘッド。
【発明の詳細な説明】
【技術分野】
【０００１】
本発明は、ゴルフのパターのパターヘッドに関するものであり、特にヘッド本体のフェース面にフェースインサートを装着したパターヘッドに関するものである。さらに詳しくは、本発明は、打球にバックスピンがかかり易いパターヘッドに関するものである。
【背景技術】
【０００２】
ゴルフのパターは、主としてグリーン上においてボールをヒットしてボールをカップに向けて転がす用途に用いられるクラブである。特開２００７−１１７６３５には、パターヘッドのフェース面にフェースインサートを装着して打感を柔らかくすることが記載されている。
【０００３】
特開２０１２−４０３１１には、打球にバックスピンがかかり易いパターヘッドとして、ヘッド本体のフェース面にフェースインサートを装着したパターヘッドにおいて、該フェースインサートに、上端部又は上方から下方に切り込まれたスリットが設けられており、該スリットがフェースインサートの左端面から右端面まで（すなわちトウ側の端面からヒール側の端面まで）連続して延在しているパターヘッドが記載されている。このパターヘッドでは、上端部から下方に向って切り込まれた形状のスリットが設けられているため、ボールをヒットしたときにフェースインサートの上部が後退し、トップスピンが減少し、ボールにバックスピンがかかり易い。このような特性を有したパターヘッドは、少し荒れたグリーンや、転がりの良いグリーンの場合、転がりが悪くなることにより距離感が合わせ易くなる。
【先行技術文献】
【特許文献】
【０００４】
【特許文献１】特開２００７−１１７６３５
【特許文献２】特開２０１２−４０３１１
【発明の概要】
【発明が解決しようとする課題】
【０００５】
この特許文献２のパターヘッドにあっては、スリットが左端面及び右端面に臨んでいるため、ボールをセンターよりも大幅にトウ側又はヒール側でヒット（オフセンターヒット）したときに、フェースインサート上部の後退量が過大となり、バックスピンが過度にかかり、オフセンターヒットに伴うボール反発力の低下と重畳してボールの転がり具合がセンターヒット時の転がり具合と異なったものとなるおそれがある。また、フェースインサートの強度が低くなるおそれもある。
【０００６】
本発明は、通常のパターに比べボールを打った時にボールにトップスピンが減少し、ひいては、ボールにバックスピンがかかり易く、しかもセンターヒット時とオフセンターヒットとで転がり具合の差が小さいパターヘッドを提供することを目的とする。
【課題を解決するための手段】
【０００７】
本発明のパターヘッドは、ヘッド本体のフェース面にフェースインサートを装着したパターヘッドにおいて、該フェースインサートに、上端部から下方に切り込まれたスリットが設けられており、該スリットよりもフェース面側の前面部と該スリットよりも後面側の後面部とが該フェースインサートのトウ側及びヒール側において連なっており、前記スリットはフェースインサートのトウ・ヒール方向の中央部において最も深くなっており、該中央部からトウ側及びヒール側に向って連続的に又は段階的に浅くなっており、該スリットのトウ・ヒール方向の長さは、該フェースインサートのトウ・ヒール方向の長さの８０〜９８％であることを特徴とするものである。
【０００９】
該スリットに粘弾性材が充填されてもよい。
【発明の効果】
【００１０】
本発明のパターヘッドのフェースインサートには、上端部から下方に向って切り込まれた形状のスリットが設けられている。そのため、ボールをヒットしたときにフェースインサートの上部が後退し、トップスピンが減少し、ボールにバックスピンがかかり易いものとなる。このような特性を有したパターヘッドは、少し荒れたグリーンや、転がりの良いグリーンの場合、転がりが悪くなることにより距離感が合わせ易くなる。
【００１１】
このフェースインサートは、そのトウ側及びヒール側においてスリットよりも前面側と後面側とが連なっているため、オフセンターヒットしたときのバックスピンのかかり具合が弱くなる。一般に、オフセンターヒットするとボール転がりが弱くなるが、上記の通りバックスピンのかかり方が弱くなることから、ボール転がりの弱まりが緩和され、オフセンターヒット時のボールの転がり具合がセンターヒット時のボールの転がり具合と略同等となる。即ち、オフセンターヒットというミスパットを行ったにもかかわらず、ボールはセンターヒットしたときと略同様に転がるようになる。
【００１２】
本発明では、フェースインサートの強度も高い。
【００１３】
このスリットに粘弾性材を充填することにより、打球音や、打感の調節を行うことができる。
【図面の簡単な説明】
【００１４】
【図１】（ａ）図は実施の形態に係るパターヘッドの分解斜視図、（ｂ）図はこのパターヘッドの正面図、（ｃ）図は（ｂ）図のＣ−Ｃ線断面図である。
【図２】フェースインサートの正面図である。
【図３】図２のIII−III線断面図である。
【図４】図３のIV−IV線断面図である。
【図５】スリットに粘弾性体を充填したフェースインサートの断面図である。
【図６】別の実施の形態に係るパターヘッドのフェースインサートの断面図である。
【図７】別の実施の形態に係るパターヘッドのフェースインサートの断面図である。
【図８】別の実施の形態に係るパターヘッドのフェースインサートの断面図である。
【図９】別の実施の形態に係るパターヘッドのフェースインサートの前後方向の縦断面図である。
【図１０】異なる実施の形態に係るパターヘッドの断面図である。
【図１１】（ａ）図は、さらに異なる実施の形態に係るパターヘッドの正面図、（ｂ）図は（ａ）図のＢ−Ｂ線断面図である。
【図１２】（ａ）図は異なる実施の形態に係るパターヘッドの断面図、（ｂ）図は（ａ）図のパターヘッドのフェースインサートの斜視図である。
【発明を実施するための形態】
【００１５】
以下、図面を参照して実施の形態について説明する。
【００１６】
第１図〜第４図は第１の実施の形態に係るパターヘッド１を示すものである。このパターヘッド１では、ヘッド本体２の前面（フェース面）に凹部２Ｈが設けられ、この凹部２Ｈ内にフェースインサート３が配置されている。この実施の形態では、ヘッド本体２はアルミ合金、チタン合金、銅合金、ステンレスなどの金属製である。フェースインサート３は、ポリエステル、ナイロン、ウレタンなどの合成樹脂又はアルミ合金、銅合金、ステンレスなどの金属よりなる。フェースインサート３の前面と、凹部２Ｈの周囲のヘッド本体２の前面とは面一である。
【００１７】
凹部２Ｈ及びフェースインサート３は、横長の略長方形状である。凹部２Ｈの深さは全体として均一であり、フェースインサート３の厚さも全体として均一である。ただし、部分的に深い箇所及び厚い部位を設けたり、逆に部分的に浅い箇所及び薄い部位を設けてもよい。
【００１８】
フェースインサート３の左右幅及び上下幅は凹部２Ｈよりも若干小さいものとなっており、フェースインサート３の上下左右の側面３Ｓと凹部２Ｈの周面２Ｓとの間には若干の空隙４があいている。この空隙４の幅は０．３〜１．５ｍｍ特に０．４〜１．０ｍｍ程度が好適である。フェースインサート３の大きさは上下幅Ｈ０が１６〜３０ｍｍ特に１８〜２５ｍｍ、左右幅Ｗ０が５０〜１５０ｍｍ特に７０〜１００ｍｍ、厚さが２〜１０ｍｍ特に３〜８ｍｍ程度が好ましいが、これに限定されない。
【００１９】
第２図〜第４図に明示の通り、このフェースインサート３にあっては、その上面から下方に向って切り込まれた形状のスリット３ａが設けられている。スリット３ａは、フェースインサート３のトウ側端部近傍からヒール側端部近傍まで延在している。フェースインサート３のトウ側及びヒール側の側端面にはスリット３ａは到達していない。即ち、スリット３ａよりも前面（フェース面）側の前面部と、スリット３ａよりも後面側の後面部とは、このフェースインサート３のトウ側端部及びヒール側端部において連なっている。
【００２０】
このスリット３ａは、トウ・ヒール方向（パターヘッドの正面視において左右方向）の中央付近において最も深くなっており、この中央付近からトウ側及びヒール側に向って徐々に浅くなっている。この実施の形態では、第４図において、スリット３ａの底面は略半楕円形の弧状となっている。
【００２１】
この実施の形態において、スリット３ａのトウ・ヒール方向の長さＷ１は、フェースインサート３のトウ・ヒール方向の長さＷ０の８０〜９８％特に８５〜９０％であることが好ましい。
【００２２】
第３図の通り、この実施の形態においては、フェース面を鉛直とした状態において、スリット３ａは、鉛直方向に設けられている。また、スリット３ｂの前後方向の幅（スリット厚み）ｔ２は全体にわたって均等となっている。この実施の形態では、スリット３ａよりもフェース面側の前面部の厚みｔ１は、後面部の厚みｔ３よりも小さくなっており、スリット３ａは、フェースインサート３の厚み方向の中間よりも若干フェース面側に位置しているが、中間に位置してもよい。フェースインサート３の全体の厚み（ｔ１＋ｔ２＋ｔ３）に対し、スリット３ａの厚みｔ２の比率は１０〜５０％特に２５〜４５％程度であることが好ましく、ｔ１の比率は１０〜５０％特に２５〜４０％程度であることが好ましい。
【００２３】
このスリット３ａは、フェースインサート３の素板に対し切削加工を施すことにより容易に形成することができるが、フェースインサート３を合成樹脂製とする場合には、射出成形用金型にスリット３ａに相当する凸部を中子等により形成しておくことにより、フェースインサートの成形時にスリット３ａを併せて形成するようにしてもよい。
【００２４】
フェースインサート３は、第３図の左側面がパターのフェース前面となるように凹部２Ｈ内に配置され、反対側が接着剤によって凹部２Ｈの奥壁面に接着される。接着剤としては、エポキシ系接着剤、ゴム系接着剤、両面テープなどが好適であるが、これに限定されない。
【００２５】
このように構成されたパターヘッド１のホゼル部１ｈにシャフトを連結することによりパターが構成される。このパターでパッティング（グリーン上のボールをフェース面で打つこと）すると、ボールをヒットしたときにフェースインサート３の前面側（スリット３ａよりもフェース側）が若干後退する。この結果、ボールのトップスピンが減少し、ボールにバックスピンがかかり易くなる。そのため、少し荒れたグリーンや転がりの良いグリーンの場合、転がりが悪くなることによって距離感が合わせ易くなる。即ち、一般にパターでヒットされたボールは、パターのフェース面から離れた直後、グリーン面上を無回転又は低回転で滑るように移動し、それから暫くすると、ボールとグリーン面との摩擦によってボールがグリーン上を滑らずに転動するようになる（ボールの周速度とボールの移動速度とが等しくなる）。パターヘッドによるボールヒット時にボールに加えられるトップスピン方向の力が減少するか、又はボールヒット時にバックスピン方向の力がボールに加えられると、上記のヒット直後における無回転ないし低回転の滑動移動距離が長くなる。グリーン面が荒れている場合、このヒット直後における無回転ないし低回転の滑動移動の間ボールがグリーン面から受ける影響が小さくなり、その結果として、ボールが停止するまでの全転がり距離は、通常のグリーンの場合と同等程度のものとなる。また、転がりの良いグリーン（具体的には、芝を短く刈ってあるグリーンや、ローラー等によって硬く締めたグリーンなど）の場合、ボールヒット直後のボールの転がりが、トップスピンが弱くなるかバックスピンが生じることによって抑制される。これにより、ボールが停止するまでの全転がり距離は、通常のグリーンの場合と同等程度のものとなる。このようなことから、本発明のパターヘッドは、少し荒れたグリーンや転がりの良いグリーンで距離感が合わせ易い、即ちプレーヤーが意図した距離だけボールが転がるものとなる。
【００２６】
また、このパターヘッド１においては、フェースインサート３は、そのトウ側及びヒール側においてスリット３ａの前面側と後面側とが連なっているため、オフセンターヒットしたときのバックスピンのかかり具合が弱くなる。一般に、オフセンターヒットするとボール転がりが弱くなるが、上記の通りバックスピンのかかり方が弱くなることから、ボール転がりの弱まりが緩和され、オフセンターヒット時のボールの転がり具合がセンターヒット時のボールの転がり具合と略同等となる。即ち、オフセンターヒットというミスパットを行ったにもかかわらず、ボールはセンターヒットしたときと略同様に転がるようになる。
【００２７】
本発明では、第５図のようにスリット３ａに粘弾性材３ｂを充填してもよい。粘弾性材としてはゴム、エラストマー、軟質合成樹脂などが用いられる。スリット３ａに粘弾性材を充填すると、ボールをヒットしたときの打球音や打感を調節することができる。この粘弾性材は、フェースインサートの前面部の変形特性に殆ど影響せず、バックスピンのかかり易さに温度依存性は実質的にない。
【００２８】
上記実施の形態のフェースインサート３では、スリット３ａの底面はトウ側からヒール側にかけて半楕円形の弧状となっており、トウ・ヒール方向の中央付近からトウ側及びヒール側に向って連続的に浅くなっているが、第６図のフェースインサート３Ａのようにトウ・ヒール方向の中央付近からトウ側及びヒール側に向って段階的に浅くなってもよい。また、第７図のフェースインサート３Ｂのように、トウ・ヒール方向の中央付近ではスリット３ａの深さはトウ・ヒール方向において一定であり、トウ側近傍及びヒール側近傍においてトウ側及びヒール側に向って徐々に（又は段階的に）浅くなるようにしてもよい。
【００２９】
本発明では、第８図のフェースインサート３Ｄのように、スリット３ａと、フェースインサート３Ｄのトウ側側端面及びヒール側側端面とを連通する浅い溝部３ｄを設けてもよい。この浅い溝部３ｄの深さＨ２は、フェースインサート３Ｄの高さＨ０の２０％以下特に１５％以下であることが好ましい。なお、Ｈ２を過度に大きくすると、（例えば、Ｈ２を前述のＨ１と同等にすると、）オフセンターでボールを打ったときのボールの反発性が低くなるので、Ｈ２をＨ０の２０％以下（０％を含む。）とすることが好ましい。
【００３０】
本発明では、第９図（ａ）のフェースインサート３Ｅのように、スリット３ａを後傾状態としてもよく、逆に、第９図（ｂ）のフェースインサート３Ｆのように前傾させてもよい。
【００３１】
上記実施の形態では、フェースインサートの前面は平坦となっているが、横長の溝を複数本平行に設けてもよい。溝の幅員（上下幅）は０．３〜１．６ｍｍ程度が好適であり、溝の深さは０．０５〜１．１ｍｍ程度が好ましい。
【００３２】
第１図では、フェースインサート３の周囲に空隙４を形成しているが、第１０図のようにこの空隙に、ゴム、エラストマー、合成樹脂などの粘弾性材８を配材してもよい。また、第１１図のパターヘッド１’のように、空隙４が生じないようにフェースインサート３を凹部２Ｈにぴったりと嵌まるように構成してもよい。
【００３３】
第１０，１１図のその他の構成は第１図と同様であり、同一符号は同一部分を示している。なお、フェースインサート３の周面３Ｓと凹部２Ｈの周面２Ｓとの間に空隙４や粘弾性材８を設けると、フェースインサートの反発特性が設計通りになるという効果が得られる。本発明では、少なくともフェースインサートの上側に空隙や粘弾性材を設けるのが好ましい。
【００３４】
本発明では、凹部２Ｈはパターヘッドの上面に臨んでいてもよい。第１２図（ａ）はその一例に係るパターヘッド１’’を示す断面図であり、前記第１図（ｃ）と同様部分の断面を示している。なお、このパターヘッド１’’では、フェースインサート３のスリット３ａに粘弾性材３ｂが充填されている。この粘弾性材３ｂの色をフェースインサート３の色と異ならせると、パターヘッド１’’の上部前縁に沿って帯状に延在する粘弾性材３ｂの上面が見える。本実施例では白色のシリコンゴムを用いた。この帯状部をパッティングラインと直交させるようにアドレスを行うことにより、パターヘッドのフェース面をパッティングラインと直交状に合わせることが容易となる。
【符号の説明】
【００３５】
１，１’，１’’  パターヘッド
２  ヘッド本体
２Ｈ  凹部
３，３Ａ，３Ｂ，３Ｄ，３Ｅ，３Ｆ  フェースインサート
３ａ  スリット
３ｂ  粘弾性材
【図１】
0006015060.tif 000002
【図２】
0006015060.tif 000003
【図３】
0006015060.tif 000004
【図４】
0006015060.tif 000005
【図５】
0006015060.tif 000006
【図６】
0006015060.tif 000007
【図７】
0006015060.tif 000008
【図８】
0006015060.tif 000009
【図９】
0006015060.tif 000010
【図１０】
0006015060.tif 000011
【図１１】
0006015060.tif 000012
【図１２】
0006015060.tif 000013